(57)【要約】【課題】安価な構成で駆動系の損傷を未然に防ぐ。【解決手段】リフト部材２１ａにより原稿積載トレイ２１の原稿Ａをピックアップローラ２２へ向けて上昇させるリフト手段２６と、ピックアップローラ２２のローラ軸２２ａとこれにほぼ平行な軸２７ｄとで支持され、ピックアップローラ２２の上昇に伴って傾動するローラカバー（傾動部材）２８と、固定のカバーホックピン２９ａと揺動してカバーホックピン２９ａが出入りする凹部２９ｃを有するホックハンドル２９ｂとを備える開閉手段２９と、ローラカバー２８の傾動に基づいてホックハンドル２９ｂをカバーホックピン２９ａから凹部２９ｃが抜け出るように揺動させる力伝達手段と、開閉手段２９が開状態のときに開閉カバー２３を開状態にするばね３０と、開閉カバー２３の開閉状態を検出する開閉検知手段３３と、開閉検知手段３３からの信号に基づいてモータ２６ｂを停止させるモータ停止手段とを具備する。【選択図】図３
2009029560.tif 000002
【特許請求の範囲】
【請求項１】
原稿積載トレイに積載した原稿を、上記原稿積載トレイの上方に昇降可能に配したピックアップローラにより、開閉カバーで上部が覆われた原稿読取部へ搬送し、その後に上記原稿積載トレイの下側の原稿排出トレイに排出する自動原稿読取装置において、
上記ピックアップローラの下方に配されていてモータ駆動により昇降するリフト部材を有し、そのリフト部材により上記原稿積載トレイの原稿を上記ピックアップローラへ向けて上昇させるリフト手段と、
上記リフト手段による上記ピックアップローラの上昇に伴って、上記ピックアップローラのローラ軸とほぼ平行に配した軸を傾動中心として傾動する傾動部材と、
上記開閉カバーの開閉状態を保持するもので、固定のカバーホックピンと揺動することにより上記カバーホックピンが出入りする凹部を有するホックハンドルとを備える開閉手段と、
上記傾動部材の傾動に基づいて上記ホックハンドルを上記カバーホックピンから上記凹部が抜け出るように揺動させ、上記開閉手段を開状態にする力伝達手段と、
上記開閉カバーを開状態とする方向に弾性力を付与するもので、上記開閉手段が開状態のときに上記開閉カバーを上記弾性力により開状態にする弾性手段と、
上記開閉カバーの開閉状態を検出する開閉検知手段と、
上記開閉検知手段から上記開閉カバーの開状態に対応する検出信号を入力すると、その信号に基づいて上記リフト手段の上記モータを停止させるモータ停止手段とを具備することを特徴とする自動原稿読取装置。
【請求項２】
請求項１に記載の自動原稿読取装置において、
前記力伝達手段は、前記傾動部材に前記傾動中心と中心を一致させて設けた円形の一部である歯部と、前記ホックハンドルの揺動中心またはその近傍部分が取付けられた歯車とを少なくとも備え、前記傾動部材の傾動に伴って歯部の回転が歯車に伝達されてホックハンドルを揺動させる構成となっていることを特徴とする自動原稿読取装置。
【請求項３】
請求項１に記載の自動原稿読取装置において、
前記力伝達手段は、両端部のそれぞれが前記傾動部材と前記ホックハンドルとに当接するように中央部を支点として揺動するシーソー部材を有し、前記ホックハンドルの前記シーソー部材との当接部位が、ホックハンドルの揺動中心と凹部とを結ぶ線分とは交差する方向へホックハンドルから延出形成した延出部であり、傾動部材の傾動によりシーソー部材が揺動し、そのシーソー部材の揺動により上記延出部を介して上記ホックハンドルを揺動させる構成となっていることを特徴とする自動原稿読取装置。
【請求項４】
請求項１に記載の自動原稿読取装置において、
前記力伝達手段は、前記ホックハンドルの揺動中心と凹部とを結ぶ線分とは交差する方向へホックハンドルから延出形成した延出部を有し、その延出部が、傾動する前記傾動部材の傾動域に位置するようになっていて、上記傾動部材の傾動により上記延出部を介して上記ホックハンドルを揺動させる構成となっていることを特徴とする自動原稿読取装置。
【請求項５】
請求項１乃至４のいずれか１つに記載の自動原稿読取装置を備えることを特徴とする画像形成装置。
【発明の詳細な説明】
【技術分野】
【０００１】
本発明は、例えば複写機やファクシミリなどの画像形成装置に付設される自動原稿読取装置および画像形成装置に関する。
【背景技術】
【０００２】
上述した複写機などでは、原稿を１枚ずつコピーするときは、図１３に示すように複写機１００の上部に設けられた原稿載置面（ガラス面）１０１の上に原稿１０２を載置し、原稿載置面１０１の上に開閉可能に設けられた蓋部１０３を閉じて行い、複数の原稿を一編にコピーするときは、図１４に示すように前記蓋部１０３を閉じた状態で、その蓋部１０３に設けられた自動原稿読取装置１０４を用いて行うように構成されたものが知られている。
【０００３】
上記自動原稿読取装置１０４としては、原稿積載トレイ１０５に積載した原稿１０２を一枚ずつ分離して原稿読取部１０６へ搬送し、読み取り後の原稿１０２を原稿積載トレイ１０５の下側の原稿排出トレイ１０７へ排出する構成となっている。なお、原稿読取部１０６の原稿１０２は、図１３に示すように複写機１００の原稿載置面１０１の横に設けた細長い窓１１１を介してスキャナー等により読み取られる。
【０００４】
ところで、原稿積載トレイに積載した原稿を一枚ずつ分離して搬送する手段として、原稿積載トレイの上方に設けたピックアップローラ（３２５）が用いられる。そして、そのピックアップローラへ向けて原稿積載トレイ（３１）を上昇させるためのリフト部材（４３）が、駆動モータ（４１１）により駆動されて昇降可能に設けられている（例えば特許文献１の図２〜図４を参照）。
【０００５】
そして、このような構成により、上記リフト部材の上昇により原稿積載トレイが上昇して、原稿をピックアップローラに向けて上昇させることができる。その結果、原稿積載トレイ上の原稿の枚数が変化しても、原稿をピックアップローラに向けて上昇させるので、最後の１枚まで原稿を残すことなく分離搬送させることができる。
【特許文献１】特開２００５−８２８３号公報
【発明の開示】
【発明が解決しようとする課題】
【０００６】
しかしながら、上述した技術文献１による場合には、仮に駆動モータが故障して制御不能な状態になると、リフト部材が無制限に上昇する虞があり、その結果として駆動モータなどの駆動系が損傷して使用不能になるという難点があった。
【０００７】
なお、リフト部材や原稿積載トレイなどの近傍にセンサなどを別途配置して対処することも考えられるが、高価になるという不都合がある。
【０００８】
本発明は、このような従来技術の課題を解決するためになされたもので、安価な構成で駆動系の損傷を未然に防ぐことができる自動原稿読取装置および画像形成装置を提供することを目的とする。
【課題を解決するための手段】
【０００９】
本発明の請求項１に係る自動原稿読取装置は、原稿積載トレイに積載した原稿を、上記原稿積載トレイの上方に昇降可能に配したピックアップローラにより、開閉カバーで上部が覆われた原稿読取部へ搬送し、その後に上記原稿積載トレイの下側の原稿排出トレイに排出する自動原稿読取装置において、上記ピックアップローラの下方に配されていてモータ駆動により昇降するリフト部材を有し、そのリフト部材により上記原稿積載トレイの原稿を上記ピックアップローラへ向けて上昇させるリフト手段と、上記リフト手段による上記ピックアップローラの上昇に伴って、上記ピックアップローラのローラ軸とほぼ平行に配した軸を傾動中心として傾動する傾動部材と、上記開閉カバーの開閉状態を保持するもので、固定のカバーホックピンと揺動することにより上記カバーホックピンが出入りする凹部を有するホックハンドルとを備える開閉手段と、上記傾動部材の傾動に基づいて上記ホックハンドルを上記カバーホックピンから上記凹部が抜け出るように揺動させ、上記開閉手段を開状態にする力伝達手段と、上記開閉カバーを開状態とする方向に弾性力を付与するもので、上記開閉手段が開状態のときに上記開閉カバーを上記弾性力により開状態にする弾性手段と、上記開閉カバーの開閉状態を検出する開閉検知手段と、上記開閉検知手段から上記開閉カバーの開状態に対応する検出信号を入力すると、その信号に基づいて上記リフト手段の上記モータを停止させるモータ停止手段とを具備することを特徴とする。
【００１０】
本発明の請求項２に係る自動原稿読取装置は、請求項１に記載の自動原稿読取装置において、前記力伝達手段は、前記傾動部材に前記傾動中心と中心を一致させて設けた円形の一部である歯部と、前記ホックハンドルの揺動中心またはその近傍部分が取付けられた歯車とを少なくとも備え、前記傾動部材の傾動に伴って歯部の回転が歯車に伝達されてホックハンドルを揺動させる構成となっていることを特徴とする。
【００１１】
本発明の請求項３に係る自動原稿読取装置は、請求項１に記載の自動原稿読取装置において、前記力伝達手段は、両端部のそれぞれが前記傾動部材と前記ホックハンドルとに当接するように中央部を支点として揺動するシーソー部材を有し、前記ホックハンドルの前記シーソー部材との当接部位が、ホックハンドルの揺動中心と凹部とを結ぶ線分とは交差する方向へホックハンドルから延出形成した延出部であり、傾動部材の傾動によりシーソー部材が揺動し、そのシーソー部材の揺動により上記延出部を介して上記ホックハンドルを揺動させる構成となっていることを特徴とする。
【００１２】
本発明の請求項４に係る自動原稿読取装置は、請求項１に記載の自動原稿読取装置において、前記力伝達手段は、前記ホックハンドルの揺動中心と凹部とを結ぶ線分とは交差する方向へホックハンドルから延出形成した延出部を有し、その延出部が、傾動する前記傾動部材の傾動域に位置するようになっていて、上記傾動部材の傾動により上記延出部を介して上記ホックハンドルを揺動させる構成となっていることを特徴とする。
【００１３】
本発明の請求項５に係る画像形成装置は、請求項１乃至４のいずれか１つに記載の自動原稿読取装置を備えることを特徴とする。
【発明の効果】
【００１４】
本発明の自動原稿読取装置および画像形成装置による場合には、リフト手段のモータが故障して制御不能な状態になってリフト部材が無制限に上昇するようになると、そのリフト部材の上昇に伴いピックアップローラが押し上げられる。これにより傾動部材が傾動し、その傾動部材の傾動に基づいて力伝達手段がカバーホックピンから凹部が抜け出るようにホックハンドルを揺動させる。これにより開閉手段が開状態になって弾性手段が開閉カバーを開状態にする。この開閉カバーの開状態を開閉検知手段が検知し、その検知信号に基づきモータ停止手段がリフト手段のモータを停止させる。そして、開閉カバーが開状態になるタイミングを、駆動系の損傷を未然に防ぐことができる時期以前に設定しておくことで、駆動系の損傷を未然に防ぐことができる。また、上記開閉検知手段は、殆どすべての自動原稿読取装置や画像形成装置において予め備わった構成となっているため、別途センサを増設することなく、その開閉検知手段を利用することで安価な構成にすることができる。なお、モータを停止させる手法としては、制御不能になっていることを考慮して、例えばモータへの電流遮断などが好ましい。
【００１５】
また、請求項２の発明による場合には、力伝達手段が、傾動部材に傾動中心と中心を一致させて設けた円形の一部である歯部と、ホックハンドルの揺動中心またはその近傍部分が取付けられた歯車とを少なくとも備え、傾動部材の傾動に伴って歯部の回転が歯車に伝達されてホックハンドルを揺動させるので、傾動部材の傾動に伴って開閉カバーが開状態になることを、簡単な構成で確実に行い得るようにできる。
【００１６】
また、請求項３の発明による場合には、力伝達手段が、両端部のそれぞれが傾動部材とホックハンドルとに当接するように中央部を支点として揺動するシーソー部材を有し、ホックハンドルのシーソー部材との当接部位が、ホックハンドルの揺動中心と凹部とを結ぶ線分とは交差する方向へホックハンドルから延出形成した延出部であり、傾動部材の傾動によりシーソー部材が揺動し、そのシーソー部材の揺動により延出部を介してホックハンドルを揺動させるので、傾動部材の傾動に伴って開閉カバーが開状態になることを、簡単な構成で確実に行い得るようにできる。
【００１７】
また、請求項４の発明による場合には、力伝達手段が、ホックハンドルの揺動中心と凹部とを結ぶ線分とは交差する方向へホックハンドルから延出形成した延出部を有し、その延出部が、傾動する傾動部材の傾動域に位置するようになっていて、傾動部材の傾動により延出部を介してホックハンドルを揺動させるので、傾動部材の傾動に伴って開閉カバーが開状態になることを、簡単な構成で確実に行い得るようにできる。
【発明を実施するための最良の形態】
【００１８】
以下に、本発明を具体的に説明する。
【００１９】
図１は、本発明に係る自動原稿読取装置が組み込まれた画像形成装置を示す外観斜視図である。
【００２０】
この画像形成装置１は、例えば複写機であって、装置本体２の上に自動原稿読取装置２０が開閉可能に設けられている。
【００２１】
装置本体２は、図２に示すように、像担持体として概略円柱状をした、表面がアモルファスシリコンからなる感光体ドラム３を有し、その感光体ドラム３の周囲に、帯電器４、現像装置５、転写ローラ６、研磨ローラ７、クリーニングブレード８および除電器９が感光体ドラム３の回転方向に沿って配置されている。
【００２２】
この装置本体２による画像形成処理は、以下のように行われる。帯電器４によって感光体ドラム３の表面を均一に帯電した後、感光体ドラム３の表面に、画像データに応じてレーザ光１０を照射することによる露光を行い、これにより感光体ドラム３上に静電潜像が形成される。その後、現像装置５によって感光体ドラム３上の静電潜像が現像されてトナー像とされ、感光体ドラム３上のトナー像は、転写ローラ６によって転写材、例えば記録用紙Ｐに転写される。この際、帯電したトナーの移動によって、感光体ドラム３と転写ローラ６との間に電流が流れるが、この電流を所定の値に制御して、つまり定電流制御して記録用紙Ｐに対するトナーの付着量を安定化させている。
【００２３】
転写の後、感光体ドラム３上に残留したトナーは、研磨ローラ７による感光体ドラム３の研磨にて研磨ローラ７に付着し、その後にクリーニングブレード８によって回収される。その後、感光体ドラム３上の残留電位が除電器９によって消去される。その後、再び帯電器４によって帯電されて、以上の画像形成処理が繰返される。
【００２４】
一方、記録用紙Ｐは、用紙搬送ライン１１に沿って搬送され、感光体ドラム３と転写ローラ６との間に送られ、ここで転写ローラ６によって感光体ドラム３上のトナー像が転写され、その後定着ユニット１２を経て排紙トレイ１３に排紙される。
【００２５】
図３は自動原稿読取装置２０の一部を示す正面図であり、図４はピックアップローラの近傍部分を拡大して示す図である。
【００２６】
自動原稿読取装置２０は、原稿積載トレイ２１に積載した原稿Ａを、上記原稿積載トレイ２１の上方に昇降可能に配したピックアップローラ２２により、開閉カバー２３で上部が覆われた原稿読取部２４へ搬送し、その後に上記原稿積載トレイ２１の下側の原稿排出トレイ２５に排出する構成となっている。
【００２７】
上記原稿積載トレイ２１は、ピックアップローラ２２側にリフト部材２１ａが設けられ、リフト部材２１ａのピックアップローラ２２とは反対側は昇降しない一定姿勢の固定トレイ２１ｂとなっている。
【００２８】
上記リフト部材２１ａはリフト手段２６の一部を構成し、ピックアップローラ２２の下方に配されている。リフト手段２６は、リフト部材２１ａの他に、リフト部材２１ａの固定トレイ２１ｂ寄りに設けた回動軸２６ａと、この回動軸２６ａを回動させるモータ２６ｂと、このモータ２６ｂの回転を回動軸２６ａに伝達する伝達機構（図示せず）とを備える。このモータ２６ｂは、正逆回転が可能なもので、装置本体２に内蔵された制御装置１４（図１参照）によりオンオフ制御されて正回転と逆回転と停止とが調整される。また、後述する開閉検知センサ３３からの信号を入力するとモータ２６ｂへ供給される電流が遮断されて、モータ２６ｂは緊急停止するようになっている。このようなモータ２６ｂの制御により回動軸２６ａが正逆回転すると、リフト部材２１ａは回動軸２６ａを回動中心として回動し、固定トレイ２１ｂとは反対側の端部２１ｃが昇降する。以下、端部２１ｃの昇降をリフト部材２１ａの昇降として述べる。
【００２９】
リフト手段２６は、原稿積載トレイ２１上に原稿Ａが載せられていないとき、モータ２６ｂを逆回転してリフト部材２１ａを最下位置にまで降下させ、その後にモータ２６ｂを停止してリフト部材２１ａを待機させる。原稿積載トレイ２１上に原稿Ａが載せられると、モータ２６ｂを正回転させてリフト部材２１ａをピックアップローラ２２に向けて上昇させる。そして、リフト部材２１ａが原稿Ａを間に介してピックアップローラ２２を所定高さまで押し上げると、図示しないセンサが作動し、その作動に伴う信号入力により制御装置１４がモータ２６ｂを停止させる。しかる後、原稿積載トレイ２１から原稿Ａが無くなったことを、図示しないセンサが検知すると、モータ２６ｂを逆回転してリフト部材２１ａを最下位置にまで降下させて停止させるようになっている。
【００３０】
ピックアップローラ２２の近傍には、給紙ローラ２７が設けられている。給紙ローラ２７はピックアップローラ２２よりも開閉カバー２３の内奥側（正面視で左側）に設けられていて、一対のローラ２７ａ、２７ｂを有する。両ローラ２７ａ、２７ｂの軸は固定され、また両ローラ２７ａ、２７ｂには無端ベルト２７ｃが掛け渡されている。これらピックアップローラ２２および給紙ローラ２７は、原稿積載トレイ２１上の原稿Ａを１枚ずつ原稿読取部２４へ送り込む。
【００３１】
ピックアップローラ２２および給紙ローラ２７の周囲には、下側を除いてピックアップローラ２２および給紙ローラ２７を覆うローラカバー２８が設けられている。ローラカバー２８は、本発明の傾動部材として機能するもので、ピックアップローラ２２から遠い方（正面視でローラ２７ｂの左側）のローラ２７ａの軸２７ｄとピックアップローラ２２の軸２２ａとで支持されていて、ピックアップローラ２２の上昇に伴ってローラ２７ａの軸２７ｄを傾動中心として傾動する（図５参照）。
【００３２】
上記開閉カバー２３は、原稿読取部２４の上部を覆うものであって、ピックアップローラ２２から離れた側（正面視で左側）の端部に設けたヒンジ２３ａを中心として開閉できる。また、その開閉は、開閉カバー２３のピックアップローラ２２側の端部に設けた開閉装置２９により可能である。開閉装置２９は、固定のカバーホックピン２９ａと、ホックハンドル２９ｂとを備え、ホックハンドル２９ｂが上端を支点として下側が振り子のように揺動することにより、ホックハンドル２９ｂに設けた凹部２９ｃに上記カバーホックピン２９ａが出入りするように構成されている。凹部２９ｃにカバーホックピン２９ａが入った状態では開閉カバー２３を閉に保持し、凹部２９ｃからカバーホックピン２９ａが出ると開閉カバー２３を開に保持する。
【００３３】
上記ホックハンドル２９ｂの上端の揺動中心Ｏは、歯車３４の軸３４ａに固定されていて、この歯車３４には、回動方向を調整するための歯車３５が噛み合っている。歯車３４の軸３４ａと歯車３５の軸３５ａは、共に開閉カバー２３に回動可能に支持されている。一方、ローラカバー２８には、ピックアップローラ２２の上昇に伴ってローラカバー２８が傾動することにより歯車３５に噛み合うように歯部２８ａが設けられている。より詳細には、この歯部２８ａは、図６に示すようにローラカバー２８の傾動中心、この実施形態ではローラ２７ａの軸２７ｄを中心として、ローラカバー２８の傾動により歯車３５に噛み合うようになっている。また、リフト部材２１ａの高さが低くピックアップローラ２２を上昇させることがないとき、つまりローラカバー２８が傾動しないとき、歯車３５から離隔している（図４参照）。これら歯部２８ａ、歯車３４および歯車３５は、ローラカバー２８の傾動に基づいてホックハンドル２９ｂをカバーホックピン２９ａから凹部２９ｃが抜け出るように揺動させる力伝達手段として機能する。
【００３４】
また、上記開閉カバー２３には、この開閉カバー２３を開状態とする方向に弾性力を付与する弾性手段としてのばね３０が設けられている（図３参照）。このばね３０は、開閉装置２９が開状態のときに開閉カバー２３を上記弾性力により開状態にする（図７参照）。一方、このばね３０の弾性力に抗して開閉カバー２３を閉じ、開閉装置２９を閉状態にすると、つまり凹部２９ｃにカバーホックピン２９ａを入れると、開閉カバー２３が閉状態に保持される。このような開閉カバー２３の開閉状態は、開閉検知手段としての開閉検知センサ３３により検知される。開閉検知センサ３３は、開閉カバー２３に設けたロッド３３ａと、開閉カバー２３の内側に固定状態で設けたスイッチ３３ｂとを有し、スイッチ３３ｂに設けたセンサ部３３ｃが開閉カバー２３の開閉に伴ってロッド３３ａにより所定深さまで押し込まれると閉状態を検知する。一方、そうでないときは開状態と検知し、この開状態の検知信号を前記制御装置１４に出力する。
【００３５】
図３に示すように、このような開閉カバー２３とその下側の下部カバー３１とで覆われて前記原稿読取部２４が設けられている。原稿読取部２４は、レジストローラ２４ａと、搬送ローラ２４ｂと、多数のローラ２４ｃとを備え、これらローラ２４ａ〜２４ｃは原稿読取部２４に送り込まれた原稿Ａを原稿排出トレイ２５へ向けて送る。
【００３６】
下部カバー３１におけるレジストローラ２４ａの下側部分には、内側を原稿Ａが通る開口３２が設けられていて、自動原稿読取装置２０を装置本体２の上に被せた閉状態のとき、上記開口３２には、装置本体２に設けた自動原稿読取用の細長い窓（ガラス）１５が対向し、原稿Ａの自動読取りが可能となっている。
【００３７】
図８は、前記制御装置１４の構成を示すブロック図である。
【００３８】
この制御装置１４は、全体制御部１４ａと、モータ制御部１４ｂと、モータ停止手段としての電流遮断部１４ｃとを有する。全体制御部１４ａは、この画像形成装置１の全体を制御する。モータ制御部１４ｂは、リフト部材２１ａの昇降に関してモータ２６ｂを、正回転、逆回転または停止に制御する。電流遮断部１４ｃは、開閉検知センサ３３からの緊急停止用の信号を入力すると、スイッチ３６を開状態にしてモータ２６ｂへ供給される電流を遮断し、モータ２６ｂを停止させる。
【００３９】
したがって、本実施形態の自動原稿読取装置２０による場合には、リフト手段２６のモータ２６ｂが故障して制御不能な状態になってリフト部材２１ａが無制限に上昇するようになると、そのリフト部材２１ａの上昇に伴いピックアップローラ２２が押し上げられる。これによりローラカバー２８が傾動し、そのローラカバー２８の傾動に基づいて前記力伝達手段がカバーホックピン２９ａから凹部２９ｃが抜け出るようにホックハンドル２９ｂを揺動させる。これにより開閉手段２９が開状態になってばね３０が開閉カバー２３を開状態にする。この開閉カバー２３の開状態を開閉検知手段３３が検知し、その検知信号に基づき電流遮断部（モータ停止手段）１４ｃがリフト手段２６のモータ２６ｂを停止させる。そして、開閉カバー２３が開状態になるタイミングを、駆動系の損傷を未然に防ぐことができる時期以前に設定しておくことで、駆動系の損傷を未然に防ぐことができる。また、開閉検知手段３３は、この自動原稿読取装置２０において予め備わった構成となっているため、別途センサを増設することなく、その開閉検知手段３３を利用することで安価な構成にすることができる。
【００４０】
また、本実施形態においては、力伝達手段が、ローラカバー２８にその傾動中心と中心を一致させて設けた円形の一部である歯部２８ａと、ホックハンドル２９ｂの揺動中心Ｏが取付けられた歯車３４と、歯車３５とを備え、ローラカバー２８の傾動に伴って歯部２８ａの回転が歯車３５、３４に伝達されてホックハンドル２９ｂを揺動させるので、ローラカバー２８の傾動に伴って開閉カバー２３が開状態になることを、簡単な構成で確実に行い得るようにできる。
【００４１】
なお、上述した第１実施形態では、ローラカバー２８の傾動によりホックハンドル２９ｂを揺動させ、開閉カバー２３を開状態にする力伝達手段として、歯車機構を用いているが、本発明はこれに限らず、以下に説明する第２実施形態や第３実施形態のような構成としてもよい。
【００４２】
（第２実施形態）
図９および図１０は、第２実施形態に係る力伝達手段を示す図である。
【００４３】
この力伝達手段は、両端部のそれぞれがローラカバー２８とホックハンドル２９ｂとに当接するように中央部を支点４０ａとして揺動するシーソー部材４０を有し、ホックハンドル２９ｂのシーソー部材４０との当接部位が、ホックハンドル２９ｂの揺動中心Ｏと凹部２９ｃとを結ぶ線分とは交差する方向、好ましくは直交する方向へホックハンドル２９ｂから延出形成した延出部２９ｄであり、ローラカバー２８の傾動によりシーソー部材４０が揺動し、そのシーソー部材４０の揺動により上記延出部２９ｄを介してホックハンドル２９ｂを揺動させる構成となっている。
【００４４】
よって、この第２実施形態の場合にも、第１実施形態と同様に、ローラカバー２８の傾動に伴って開閉カバーが開状態になることを、簡単な構成で確実に行い得るようにできる。
【００４５】
（第３実施形態）
図１１および図１２は、第３実施形態に係る力伝達手段を示す図である。
【００４６】
この力伝達手段は、ホックハンドル２９ｂの揺動中心Ｏと凹部２９ｃとを結ぶ線分とは交差する方向、好ましくは直交する方向へホックハンドル２９ｂから延出形成した延出部２９ｅを有し、その延出部２９ｅが、傾動するローラカバー２８の傾動域に位置するようになっていて、ローラカバー２８の傾動により延出部２９ｅを介してホックハンドル２９ｂを揺動させる構成となっている。
【００４７】
よって、この第３実施形態の場合にも、第１、第２実施形態と同様に、ローラカバー２８の傾動に伴って開閉カバーが開状態になることを、簡単な構成で確実に行い得るようにできる。
【００４８】
なお、上述した実施形態ではモータ２６ｂによりリフト部材２１ａを回動軸２６ａの回りに回動させて端部２１ｃを昇降させる構成としているが、本発明はこれに限らず、リフト部材２１ａの全体が平行になって昇降する構成としてもよい。
【００４９】
また、上述した実施形態ではピックアップローラ２２および給紙ローラ２７を覆うローラカバー２８を傾動部材として用いているが、本発明はこれに限らない。傾動部材としては、ローラカバー２８とは別の部材であってもよく、要はピックアップローラ２２の上昇に伴って、ピックアップローラ２２とは平行な軸を傾動中心として傾動する構成であればよい。
【００５０】
更に、上述した実施形態では複写機に本発明の自動原稿読取装置を適用しているが、本発明はこれに限らず、ファクシミリなどにも同様に適用することができる。
【００５１】
更にまた、上述した実施形態では開閉可能に自動原稿読取装置に適用しているが、本発明はこれに限らず、開閉しない自動原稿読取装置にも適用することができる。但し、開閉カバーの開閉を開閉検知手段により検知する構成のものであることを要する。
【図面の簡単な説明】
【００５２】
【図１】本発明に係る自動原稿読取装置が組み込まれた画像形成装置を示す外観斜視図である。
【図２】画像形成装置の装置本体を示す図である。
【図３】自動原稿読取装置の一部を示す正面図である。
【図４】ピックアップローラの近傍部分を拡大して示す図である。
【図５】ローラカバーの構成を示す斜視図である。
【図６】ピックアップローラとローラカバーと開閉手段との関係を示す図である。
【図７】同じくピックアップローラとローラカバーと開閉手段との関係を示す図である。
【図８】制御装置を示すブロック図である。
【図９】第２実施形態に係る力伝達手段を示す図である。
【図１０】第２実施形態に係る力伝達手段を示す図である。
【図１１】第３実施形態に係る力伝達手段を示す図である。
【図１２】第３実施形態に係る力伝達手段を示す図である。
【図１３】従来の画像形成装置を示す斜視図である。
【図１４】従来の画像形成装置を示す斜視図である。
【符号の説明】
【００５３】
Ａ    原稿
１    画像形成装置
１４    制御装置
２０    自動原稿読取装置
２１    原稿積載トレイ
２１ａ    リフト部材
２２    ピックアップローラ
２３    開閉カバー
２４    原稿読取部
２５    原稿排出トレイ
２６    リフト手段
２６ｂ    モータ
２７ｄ    軸
２８    ローラカバー（傾動部材）
２９    開閉装置
２９ａ    カバーホックピン
２９ｂ    ホックハンドル
２９ｃ    凹部
２９ｄ    延出部
２９ｅ    延出部
３０    ばね（弾性手段）
３３    開閉検知センサ
３４    歯車
３５    歯車
４０    シーソー部材
【図１】
2009029560.tif 000003
【図２】
2009029560.tif 000004
【図３】
2009029560.tif 000005
【図４】
2009029560.tif 000006
【図５】
2009029560.tif 000007
【図６】
2009029560.tif 000008
【図７】
2009029560.tif 000009
【図８】
2009029560.tif 000010
【図９】
2009029560.tif 000011
【図１０】
2009029560.tif 000012
【図１１】
2009029560.tif 000013
【図１２】
2009029560.tif 000014
【図１３】
2009029560.tif 000015
【図１４】
2009029560.tif 000016